(57)【特許請求の範囲】
【請求項１】
前面部が開口された本体部と、その本体部に対して収納移動可能でかつ前記本体部から引き出し移動可能な洗浄槽とが設けられ、
前記洗浄槽の引き出し方向の正面部には、前記洗浄槽を前記本体部から引き出すための把手部が設けられている食器洗浄機であって、
前記本体部に対して前記洗浄槽を収納位置まで移動させるに伴って、前記洗浄槽を収納位置に保持させるロック手段が設けられ、
そのロック手段が、前記把手部に対する引き操作に伴って、前記洗浄槽の前記収納位置への保持を解除するように構成され、
運転を制御する制御手段、及び、前記ロック手段による前記洗浄槽の前記収納位置への保持が解除されているロック解除状態、および、前記洗浄槽が前記本体部から引き出されている引き出し状態の両状態を検出可能な状態検出手段が設けられ、
前記制御手段が、前記状態検出手段が前記ロック解除状態、および、前記引き出し状態のいずれか一方を検出すると、運転を停止させるように構成され、
前記状態検出手段が、光を発光する発光部と、その発光部からの光を受光する受光部を備え、前記受光部にて検出する光に基づいて、前記ロック解除状態と前記引き出し状態との両状態を検出するように構成されている食器洗浄機。
【請求項２】
前記状態検出手段が、前記ロック解除状態および前記引き出し状態のいずれの状態のときにも、前記受光部にて検出する光が遮光状態となる被検知体を備えて構成されている請求項１に記載の食器洗浄機。
【発明の詳細な説明】
【０００１】
【発明の属する技術分野】
本発明は、前面部が開口された本体部と、その本体部に対して収納移動可能でかつ前記本体部から引き出し移動可能な洗浄槽とが設けられ、
前記洗浄槽の引き出し方向の正面部には、前記洗浄槽を前記本体部から引き出すための把手部が設けられている食器洗浄機に関する。
【０００２】
【従来の技術】
上記のような食器洗浄機は、例えば、本体部の前面部が開口され、洗浄槽の上面部が開口され、洗浄槽の引き出し方向の正面部に把手部を備えた扉が設けられ、本体部から洗浄槽を引き出し移動させて、洗浄槽に食器などの被洗浄物を洗浄槽内に収納可能とし、洗浄槽を本体部に対して収納移動させて、洗浄槽を本体部の収納位置に収納させ、扉にて本体部を閉塞して、洗浄運転や乾燥運転などの各運転を行うものである。
【０００３】
そして、この種の食器洗浄機は、運転中に洗浄槽が引き出し方向に移動して洗浄水などが飛散することなどを防止するために、洗浄槽を本体部の収納位置に保持した状態で運転を実行することが望まれており、例えば、特開２０００−１３９７９８号公報に記載のように、洗浄槽を本体部の収納位置に保持するロック手段が設けられ、そのロック手段の操作部が把手部とは別に設けられ、そのロック手段の操作部にて、洗浄槽を本体部の収納位置に保持するロック状態とその洗浄槽の収納位置への保持を解除するロック解除状態とを切り換えるようにしている。
【０００４】
【発明が解決しようとする課題】
上記従来の食器洗浄機では、ロック手段の操作部と把手部とが別々に設けられているために、洗浄運転などの運転中に、洗浄中の被洗浄物を取り出すためなど、洗浄槽を本体部から引き出す必要が生じると、一時停止スイッチを操作して、ロック手段の操作部にて洗浄槽の収納位置への保持を解除するロック解除状態に切り換えたのち、把手部に対して引き操作して洗浄槽を本体部から引き出し移動させることになる。
また、洗浄槽が本体部から引き出した状態から洗浄槽を本体部の収納位置に保持させるときには、洗浄槽を本体部に対して収納移動させて、洗浄槽を本体部の収納位置に移動させたのち、ロック手段の操作部にて洗浄槽を本体部の収納位置に保持するロック状態に切り換えることになる。
【０００５】
以上の如く、従来の食器洗浄機では、洗浄槽を収納位置に保持した状態から洗浄槽を本体部から引き出したり、洗浄槽を引き出した状態から洗浄槽を本体部の収納位置に保持させるために、洗浄槽の引き出し移動または洗浄槽の収納移動させる操作に加えて、ロック手段の操作部によるロック解除状態またはロック状態への切換操作を行う必要があり、洗浄槽を収納位置に保持した状態から洗浄槽を本体部から引き出したり、洗浄槽を引き出した状態から洗浄槽を本体部の収納位置に保持させたりするための操作が煩わしいものとなる虞がある。
【０００６】
本発明は、かかる点に着目してなされたものであり、その目的は、洗浄槽を収納位置に保持した状態から洗浄槽を本体部から引き出したり、洗浄槽を引き出した状態から洗浄槽を本体部の収納位置に保持させたりするための操作の容易化を図り、使い勝手のよい食器洗浄機を提供する点にある。
【０００７】
【課題を解決するための手段】
この目的を達成するために、請求項１に記載の発明によれば、一側面部が開口された本体部と、その本体部に対して収納移動可能でかつ前記本体部から引き出し移動可能な洗浄槽とが設けられ、前記洗浄槽の引き出し方向の正面部には、前記洗浄槽を前記本体部から引き出すための把手部が設けられている食器洗浄機において、
前記本体部に対して前記洗浄槽を収納位置まで移動させるに伴って、前記洗浄槽を収納位置に保持させるロック手段が設けられ、そのロック手段が、前記把手部に対する引き操作に伴って、前記洗浄槽の前記収納位置への保持を解除するように構成され、
運転を制御する制御手段、及び、前記ロック手段による前記洗浄槽の前記収納位置への保持が解除されているロック解除状態、および、前記洗浄槽が前記本体部から引き出されている引き出し状態の両状態を検出可能な状態検出手段が設けられ、
前記制御手段が、前記状態検出手段が前記ロック解除状態、および、前記引き出し状態のいずれか一方を検出すると、運転を停止させるように構成され、
前記状態検出手段が、光を発光する発光部と、その発光部からの光を受光する受光部を備え、前記受光部にて検出する光に基づいて、前記ロック解除状態と前記引き出し状態との両状態を検出するように構成されている。
【０００８】
すなわち、本体部に対して洗浄槽を収納位置まで移動させるに伴って、洗浄槽を収納位置に保持させるロック手段が設けられているので、洗浄槽を引き出した状態から洗浄槽を収納位置まで収納移動させると、ロック手段にて洗浄槽を収納位置に保持することが可能となって、洗浄槽を収納位置まで本体部に対して収納移動させるという単純な操作により、洗浄槽を収納位置に保持することが可能となる。
また、そのロック手段が、把手部に対する引き操作に伴って、洗浄槽の収納位置への保持を解除するように構成されているので、洗浄槽を収納位置に保持した状態から把手部に対して引き操作すると、洗浄槽の収納位置への保持が解除されて、そのまま把手部に対して引き操作を行って洗浄槽を本体部から引き出すことが可能となって、把手部に対して引き操作してその状態のまま洗浄槽を本体部から引き出し移動させるという単純な操作により、洗浄槽を本体部から引き出すことが可能となる。
【０００９】
以上のことをまとめると、請求項１に記載の発明によれば、洗浄槽を収納位置に保持した状態から洗浄槽を本体部から引き出したり、洗浄槽を引き出した状態から洗浄槽を本体部の収納位置に保持させたりするための操作の容易化を図ることが可能となり、使い勝手のよい食器洗浄機を提供できるに到った。
【００１１】
また、請求項１に記載の発明によれば、制御手段が、ロック解除状態、および、引き出し状態のいずれか一方を検出すると、運転を停止させるように構成されているので、制御手段が、運転中であっても、ロック解除状態および引き出し状態のいずれかが検出されると、運転が停止されることとなって、ロック解除状態および引き出し状態のいずれかの状態で運転が行われることを防止することが可能となり、扉が開かれたまま運転が実行されて、洗浄水が飛散するなどの事態を防止することが可能となる。
【００１２】
また、上述の如く、単純な操作にて洗浄槽を収納位置に保持した状態から洗浄槽を本体部から引き出すことが可能となるので、運転中に本体部から洗浄槽を引き出す必要が生じた場合には、比較的短時間で本体部から洗浄槽を引き出すことが可能となり、洗浄ポンプの作動などが確実に停止する前に洗浄槽が本体部から引き出される可能性があり、洗浄水が飛散する虞がある。
しかしながら、請求項１に記載の発明によれば、洗浄槽を収納位置に保持した状態から把手部に対して引き操作するに伴ってロック解除状態となり、そのロック解除状態となった時点で運転を停止させることが可能となって、洗浄ポンプの作動などを把手部に対して引き操作した時点で停止させることが可能となり、洗浄水が飛散するなどの事態を的確に防止することが可能となる。
【００１３】
したがって、洗浄槽を収納位置に保持した状態から洗浄槽を本体部から引き出したり、洗浄槽を引き出した状態から洗浄槽を本体部の収納位置に保持させたりするための操作の容易化を図りながら、洗浄水が飛散するなどの事態を的確に防止することが可能となる。
【００１４】
また、請求項１に記載の発明によれば、ひとつの状態検出手段にてロック解除状態と引き出し状態とを検出することが可能となり、ロック解除状態を検出する検出手段と引き出し状態を検出する検出手段とを別々に設けるものと比べて、コストの低減を図ることが可能となる。
【００１６】
また、請求項１に記載の発明によれば、状態検出手段をマイクロスイッチなど接触式のもので構成すると、湯気、埃塵、水などに対して影響を受け易く、その影響により、例えば、ロック解除状態でないにもかかわらず、誤ってロック解除状態を検出する虞があり、その状態検出手段の検出に対する信頼性が低くなる虞があるが、発光部と受光部を備え、受光部にて検出する光に基づいて、ロック解除状態と引き出し状態との両状態を検出するように構成されているので、湯気、埃塵、水などの影響を受けにくく、誤検出を防止し、状態検出手段の検出に対する信頼性を向上させることが可能となる。
【００１７】
請求項２に記載の発明によれば、前記状態検出手段が、前記ロック解除状態および前記引き出し状態のいずれの状態のときにも、前記受光部にて検出する光が遮光状態となる被検知体を備えて構成されている。
【００１８】
すなわち、状態検出手段が、ロック解除状態および引き出し状態のいずれの状態のときにも、受光部にて検出する光が遮光状態となる被検知体を備えているので、例えば、洗浄槽が収納位置に保持されているロック状態のときに、被検知体が受光部にて発光部の光を受光する受光状態となるように可動させることによって、ひとつの状態検出にて、ロック状態と、ロック解除状態および引き出し状態のいずれかの状態とを判別することが可能となる。
【００１９】
したがって、状態検出手段が、可動式の被検知体を備えることによって、ひとつの状態検出手段にて、運転可能なロック状態と、運転を実行すべきではないロック解除状態および引き出し状態のいずれかの状態とを判別して、ロック状態のときに運転を実行させ、ロック解除状態および引き出し状態のいずれかの状態のときに運転を停止させることが可能となって、ひとつの状態検出手段にて食器洗浄機の運転を的確に実行または停止させることが可能となる。
【００２０】
【発明の実施の形態】
本発明にかかる食器洗浄機について図面に基づいて説明する。
この食器洗浄機は、図１〜図４に示すように、前面部が開口された本体部１と、その本体部１に対して収納移動可能でかつ本体部１から引き出し移動可能な洗浄槽２と、洗浄槽２を本体部１に収納した状態で洗浄槽２の上面部を閉塞し、かつ、洗浄槽２を本体部１から引き出した状態で洗浄槽２の上面部を開口させる内蓋部３と、食器洗浄機の運転を制御する制御手段としての制御部Ｈなどから構成されている。
そして、洗浄槽２の底部下方には、洗浄ポンプ５などが設けられ、洗浄槽２の内部には、洗浄ノズル６やヒータ７などが配置され、それら洗浄ポンプ５、洗浄ノズル６やヒータ７などが洗浄槽２に一体的に組み付けられている。
また、洗浄槽２の内部には、食器などを収納載置する洗浄かご８が取り出し自在に収納され、洗浄槽２の水位に応じて上下動するフロートを備えて洗浄槽２の水位が設定水位であるか否かを検出する接触式の水位センサ４が設けられている。
【００２１】
前記本体部１の内側には、洗浄槽２を本体部１に対して収納移動および本体部１から引き出し移動させるための左右一対のスライド機構９が設けられ、このスライド機構９によって、洗浄槽２が水平姿勢またはほぼ水平姿勢の維持した状態で、本体部１に対して収納移動したり、本体部１から引き出し移動されるように構成されている。
前記洗浄槽２の前面部には、本体部１を開閉する扉１０が設けられ、その扉１０には、洗浄槽２を本体部１から引き出すための把手部１１が設けられ、洗浄槽２を本体部１に収納すると扉１０にて本体部１の前面部を閉塞するように構成されている。
そして、洗浄槽２を本体部１から引き出した状態で、食器などを洗浄かご８に収納したり取り出し可能とし、洗浄槽２を本体部１に収納した状態で、洗浄ポンプ４、洗浄ノズル５やヒータ７などを作動させて、洗浄運転や乾燥運転などの各運転を行うように構成されている。
【００２２】
前記内蓋部３は、内蓋用コイルスプリング１２にて本体部１の前方側に付勢された状態で、本体部１の内側上面部に配設され、内蓋部３の後端部には、洗浄槽２を本体部１に収納するときの洗浄槽２の収納方向への移動により、洗浄槽２に押されて内蓋部３を洗浄槽２の収納方向、すなわち本体部１の後方側へ移動させるための当たり部３ａが設けられている。
【００２３】
そして、カム機構を利用して、洗浄槽２の収納方向（本体部１の後方側）への移動に連動して内蓋部３を下方側へ移動させるともに、洗浄槽２の引き出し方向（本体部１の前方側）への移動に連動して内蓋部３を上方側へ移動させるための内蓋案内機構１３が設けられている。
前記内蓋案内機構１３は、本体部１の前後左右の４箇所で内蓋部３を支持するように構成され、内蓋部３に設けられた被案内ピン１３ａを本体部１に取り付けられた案内体１３ｂに形成されたカム溝に沿って案内させるカム機構の作用により、内蓋部３を上方側または下方側へ移動させるように構成されている。
【００２４】
説明を加えると、図２に示すように、洗浄槽２が本体部１から引き出された状態から洗浄槽２を収納方向（本体部１の後方側）へ移動させると、内蓋部３の当たり部３ａに洗浄槽２が当接し、さらに、洗浄槽２を収納方向（本体部１の後方側）へ移動させると、内蓋部３の当たり部３ａが洗浄槽２に押されて、内蓋部３と洗浄槽２とが一体的に収納方向（本体部１の後方側）に移動するようにしている。
そして、内蓋部３と洗浄槽２とが一体的に収納方向（本体部１の後方側）に移動すると、内蓋案内機構におけるカム機構の作用により、内蓋部３が下方側に移動されて、洗浄槽２を本体部１に収納すると、すなわち洗浄槽２を収納位置に移動させると、洗浄槽２の上面部を閉塞するように構成されている。
【００２５】
また、図３および図４に示すように、洗浄槽２が本体部１に収納された状態から洗浄槽２を引き出し方向（本体部１の前方側）に移動させると、内蓋用コイルスプリング１２の付勢力および内蓋案内機構１３におけるカム機構の作用により、内蓋部３が上方側へ移動しながら引き出し方向へ移動するようにして、洗浄槽２を本体部１から引き出した状態で洗浄槽２の上面部を開口させるように構成されている。
【００２６】
なお、本体部１の内側面部の両側には、本体部１から洗浄槽２が引き出された状態から、洗浄槽２を収納方向に移動させると、トグル機構を利用して、洗浄槽２を収納位置に補助案内する補助機構Ａが設けられている。
そして、補助機構Ａは、洗浄槽２を収納位置に保持した状態から、洗浄槽２を引き出し方向に移動させと、トグル機構を利用して、洗浄槽２を引き出し方向に補助案内するように構成されている。
【００２７】
前記本体部１に対して洗浄槽２を収納位置まで収納移動させるに伴って、洗浄槽２を収納位置に保持させるロック手段としてのロック機構１４が設けられ、そのロック機構１４が、把手部１１に対する引き操作に伴って、洗浄槽２の収納位置への保持を解除するように構成されている。
説明を加えると、ロック機構１４は、図５〜図８に示すように、本体部１に設けられた係止部１４ａと、扉１０の裏面部に設けられ、その係止部１４ａに係止されるフック部１４ｂとから構成されている。
そして、フック部１４ｂは、洗浄槽２を本体部１から引き出すための把手部１１と一体的に構成され、フック部１４ｂと把手部１１との一体部材１５が、ロック用横軸芯１６回りで揺動自在に枢支され、かつ、そのロック用横軸芯１６に設けられた巻きスプリングにより収納方向側（本体部１側）に付勢され、把手部１１には、把手カバー部１１ａが備えられている。
【００２８】
このようにして、洗浄槽２を引き出した状態から洗浄槽２を収納位置まで収納移動させると、ロック機構１４にて洗浄槽２を収納位置に保持させて、洗浄槽２を収納位置まで本体部１に対して収納移動させるという単純な操作により、洗浄槽２を収納位置に保持させるように構成されている。
また、そのロック機構１４が、洗浄槽２を収納位置に保持した状態から把手部１１に対して引き操作すると、洗浄槽２の収納位置への保持が解除されて、そのまま把手部１１に対して引き操作を行って洗浄槽２を本体部１から引き出し、把手部１１に対して引き操作してその状態のまま洗浄槽２を本体部１から引き出し移動させるという単純な操作により、洗浄槽２を本体部１から引き出し可能となるように構成されている。
【００２９】
以上の如く、洗浄槽２を収納位置に保持した状態から洗浄槽２を本体部１から引き出したり、洗浄槽２を引き出した状態から洗浄槽２を本体部１の収納位置に保持させたりするための操作の容易化を図ることが可能となり、使い勝手のよいものとなる。
【００３０】
また、扉１０の裏面部には、扉１０の位置状態が、本体部１の前面部を閉塞している閉状態と本体部１の前面部を開口している開状態とを判別したり、ロック機構１４による洗浄槽２の洗浄位置への保持状態が、洗浄槽２を収納位置に保持しているロック状態と洗浄槽２の収納位置への保持が解除されているロック解除状態とを判別する状態検出手段としての状態検出機構１７が設けられている。
【００３１】
前記状態検出機構１７は、図５〜図９に示すように、光を発光する発光部１８と、その発光部１８からの光を受光する受光部１９と、発光部１８および受光部１９の作動を制御する状態検出部２０などから構成され、状態検出部２０は、受光部１９にて検出する光に基づいて、受光状態と遮光状態とを判別して、扉１０の位置状態やロック機構１４による洗浄槽２の洗浄位置への保持状態を判別するように構成されている。
【００３２】
説明を加えると、フック部１４ｂと把手部１１との一体部材１５には、状態検出用横軸芯２１回りで揺動自在でかつ状態検出用コイルスプリング２２にて後方側に付勢されているセンサーフラグ２３が設けられ、このセンサーフラグ２３が揺動することによって、発光部１８からの光を受光部１９にて受光する受光状態と、発光部１８からの光がセンサーフラグ２３により遮光される遮光状態とのいずれかが現出するように構成されている。
そして、センサーフラグ２３は、洗浄槽２の収納位置への移動に伴って、本体部１に設けられた係止部１４ａと当接する当接部２３ａ、および、発光部１８からの光を遮光する遮光部２３ｂとから構成されている。
すなわち、フック部１４ｂと把手部１１との一体部材１５、センサーフラグ２３などにより被検知体Ｂが構成されている。
【００３３】
前記状態検出部２０は、発光部１８からの光を設定点滅周期で点滅させるように発光部１８の作動を制御して、受光部１９にて光が設定点滅周期で点滅されている点滅状態を検出したときに、受光状態と判別するように構成されている。
また、状態検出部２０は、受光部１９にて光を設定点滅周期よりも長い間継続して検出する点灯状態を検出したときに、異常であると判別するように構成されている。
【００３４】
具体的に説明すると、発光部１８が設定点滅周期で点滅するように、発光部１８の駆動回路を、図１０および図１１に示すように、ＬｏｗとＨｉとを設定点滅周期で繰り返す点滅回路として、受光部１９にて検出した入力信号がＬｏｗとＨｉとを設定点滅周期で繰り返す点滅信号であるときには、受光状態と判別するように構成されている。
そして、入力信号がＬｏｗ状態であるときには、異常と判別し、入力信号がＨｉ状態であるときには、遮光状態と判別するように構成されている。
【００３５】
説明を加えると、発光部１８のオープン故障が発生すると、発光部１８が発光しなくなるので、入力信号がＨｉ状態となり、受光状態が現出していても、受光状態と判別せず、遮光状態と判別し、また、受光部１９のショート故障が発生すると、受光部１９にて光を受光していないにもかかわらず、受光部１９が誤って光を受光している状態となるので、入力信号がＬｏｗ状態となり、異常と判別するように構成されている。
そして、発光部１８のオープン故障や受光部１９のショート故障が発生しておらず、かつ、受光状態が現出しているときに、受光状態と判別するようにして、発光部１８のオープン故障や受光部１９のショート故障が発生しても、受光状態を確実に判別するように構成されている。
【００３６】
前記洗浄槽２を収納位置まで移動させて、その洗浄槽２を収納位置に保持する収納状態と、その収納状態から把手部１１に対する引き操作によって、洗浄槽２の収納位置への保持を解除する中間状態と、その中間状態から洗浄槽２を引き出し方向に移動させて、洗浄槽２を本体部１から引き出した引き出し状態のそれぞれの状態において、前記ロック機構１４の動作および状態検出機構１７の判別について説明を加える。
【００３７】
前記収納状態においては、図５に示すように、洗浄槽２の収納位置への移動により、フック部１４ｂが係止部１４ａに係止されて、洗浄槽２を収納位置に保持するとともに、センサーフラグ２３の当接部２３ａが係止部１４ａとの当接により下方側に押されて、センサーフラグ２３が状態検出用横軸芯２１回りで揺動し、図９の（イ）に示すように、発光部１８からの光を受光部１９にて受光する受光状態を現出させて、状態検出部２０が受光状態と判別するように構成されている。
また、前記中間状態においては、図６に示すように、把手部１１に対する引き操作に伴って、フック部１４ｂと把手部１１との一体部材１５がロック用横軸芯１６回りで揺動され、フック部１４ｂの係止部１４ａに対する係止が解除されて、洗浄槽２の収納位置への保持が解除されるとともに、把手部１１に対する引き操作による一体部材１５のロック用横軸芯１６回りでの揺動によって、センサーフラグ２３の当接部２３ａと係止部１４ａとの当接が解除され、センサーフラグ２３が状態検出用コイルスプリング２２の付勢力にて状態検出用横軸芯２１回りで揺動し、図９の（ロ）に示すように、発光部１８からの光を遮光部２３ｂにて遮光する遮光状態を現出させて、状態検出部２０が遮光状態と判別するように構成されている。
【００３８】
前記引き出し状態においては、図７に示すように、洗浄槽２が本体部１から引き出されて、把手部１１に対する引き操作も解除されると、フック部１４ｂと把手部１１との一体部材１５が、巻きスプリングの付勢力にてロック用横軸芯１６回りで揺動し、図示しない止め部の作用により、その位置が保持されるとともに、センサーフラグ２３が、状態検出用コイルスプリング２２の付勢力により、図９の（ロ）に示すように、発光部１８からの光を遮光部２３ｂにて遮光する遮光状態を保持して遮光状態を現出させて、状態検出部２０が遮光状態と判別するように構成されている。
【００３９】
そして、制御部Ｈは、状態検出部２０が受光状態と判別すると、収納状態と判別して、洗浄運転や乾燥運転などの各運転を実行し、状態検出部２０が遮光状態と判別すると、中間状態および引き出し状態のいずれかと判別して、洗浄運転や乾燥運転などの各運転を停止させるように構成されている。
また、制御部Ｈは、収納状態と判別すると、報知ブザーや音声などで洗浄槽２が収納位置に保持されたことを使用者に報知するように構成されている。
【００４０】
説明を加えると、状態検出機構１７が受光状態と判別すると、制御部Ｈが収納状態と判別することによって、発光部１８のオープン故障や受光部１９のショート故障などの異常が発生しても、収納状態を確実に判別して、確実に収納状態のときに運転を行い、中間状態や引出し状態のときに、誤って運転が実行されることを的確に防止することができるように構成されている。
そして、洗浄運転などの運転中などに、図示しない操作部に設けられた一時停止スイッチが操作されずに、把手部１１に対する引き操作を行い、洗浄槽２を本体部１から引き出した場合でも、把手部１１に対する引き操作が行われた中間状態を判別し、運転をいち早く停止させて、洗浄槽２を本体部１から引き出したときに洗浄水が飛散することを的確に防止することができるように構成されている。
【００４１】
このようにして、ひとつの状態検出機構１７により、扉１０の位置状態が、閉状態であるか開状態であるかを判別し、ロック機構１４による洗浄槽２の洗浄位置への保持状態が、ロック状態であるかロック解除状態であるかを判別して、収納状態であるか、または、中間状態および引き出し状態のいずれかであるかを判別するように構成されている。
すなわち、ひとつの状態検出機構１７により、収納状態と、中間状態および引き出し状態のいずれかの状態とを判別して、コストの低減を図りながら、食器洗浄機の運転を実行可能な状態と、食器洗浄機の運転を実行すべきではない状態とを判別して、食器洗浄機の運転を的確に実行または停止させるように構成されている。
【００４２】
説明を加えると、制御部Ｈが、洗浄運転などの運転中であっても、ロック解除状態である中間状態および引き出し状態のいずれかが検出されると、運転を停止させて、扉が開かれたまま運転が実行されて、洗浄水が飛散するなどの事態を防止するようにしている。
また、洗浄槽２を収納位置に保持した収納状態から把手部１１に対して引き操作するに伴ってロック解除状態となり、そのロック解除状態を検出して運転を停止させることにより、洗浄ポンプ５の作動などを把手部１１に対して引き操作した時点で停止させることが可能となり、運転中に、洗浄中の食器などを取り出すなど、洗浄槽２を本体部１から引き出す必要が生じても、洗浄水が飛散するなどの事態を的確に防止するようにしている。
【００４３】
〔別実施形態〕
【００４５】
（１）上記実施形態では、状態検出機構１７におけるセンサーフラグ２３が、ロック解除状態である中間状態および引き出し状態のいずれの状態のときにも、受光部１９にて検出する光が遮光状態となる例を示したが、逆に、状態検出機構１７におけるセンサーフラグ２３が、ロック解除状態である中間状態および引き出し状態のいずれの状態のときにも、受光部１９にて検出する光が受光状態となるように構成して実施することも可能である。
【００４６】
（２）上記実施形態では、状態検出機構１７における発光部１８を設定点滅周期で点滅させるように作動させる例を示したが、状態検出機構１７における発光部１８を常に点灯させるように作動させて実施することも可能である。
【００４７】
（３）上記実施形態では、カム機構を利用した内蓋案内機構１３により内蓋部３を上方側または下方側へ移動させて、洗浄槽２を本体部１に収納した状態で洗浄槽２の上面部を閉塞し、かつ、洗浄槽２を本体部１から引き出した状態で洗浄槽２の上面部を開口させるように構成したが、例えば、リンク機構を利用して、洗浄槽２の収納方向への移動に連動して内蓋部３を下方側に移動させ、洗浄槽２の引き出し方向への移動に連動して内蓋部３を上方側に移動させて、洗浄槽２を本体部１に収納した状態で洗浄槽２の上面部を閉塞し、かつ、洗浄槽２を本体部１から引き出した状態で洗浄槽２の上面部を開口させるように構成して実施することも可能である。
すなわち、内蓋案内機構１３は、カム機構を利用したものに限るものではなく、リンク機構など他の機構により構成して実施することが可能である。
【図面の簡単な説明】
【図１】食器洗浄機の概略斜視図
【図２】洗浄槽を収納位置に保持した状態における食器洗浄機の概略側面図
【図３】洗浄槽を本体部から引き出す途中状態における食器洗浄機の概略側面図
【図４】洗浄槽を本体部から引き出した状態における食器洗浄機の概略側面図
【図５】洗浄槽を収納位置に保持した状態における食器洗浄機の要部を示す側面図
【図６】洗浄槽の収納位置への保持を解除した状態における食器洗浄機の要部を示す側面図
【図７】洗浄槽を本体部から引き出し移動させる際の食器洗浄機の要部を示す側面図
【図８】洗浄槽を収納位置に保持した状態における食器洗浄機の要部を示す平面図
【図９】状態検出機構における受光状態と遮光状態とを示す斜視図
【図１０】状態検出機構における発光部の駆動状態と受光部の入力状態を示す図
【図１１】状態検出機構における回路図
【符号の説明】
１              本体部
２              洗浄槽
１１            把手部
１４            ロック手段
１８            発光部
１９            受光部
Ｂ              被検知体
Ｈ              制御手段
【図１】
0004493213.tif 000002
【図２】
0004493213.tif 000003
【図３】
0004493213.tif 000004
【図４】
0004493213.tif 000005
【図５】
0004493213.tif 000006
【図６】
0004493213.tif 000007
【図７】
0004493213.tif 000008
【図８】
0004493213.tif 000009
【図９】
0004493213.tif 000010
【図１０】
0004493213.tif 000011
【図１１】
0004493213.tif 000012